(57)【特許請求の範囲】
【請求項１】
外側チューブと内側チューブとを備えた二液押出し容器であって、
外側チューブの口部に、内側チューブの吐出口と、内側チューブの注出筒外周と外側チューブの開口によって形成される液流路を覆うとともに、中央部にスリットにより区分されるフラップを形成し、容器内の内圧変化に基づくフラップの開閉によりオリフィスが形成されるスリットバルブを、取付部材を介して取着したことを特徴とする二液押出し容器。
【請求項２】
外側チューブは、開口を有する頂壁と、上端周縁に係合環を突設した側筒壁とからなる口部を具備しており、
内側チューブは、頂壁に吐出口を設けた注出筒と嵌挿筒を備え、注出筒と嵌挿筒のそれぞれの外周に前記外側チューブの口部との間に液流路を形成するリブを設けた口部を具備しており、
取付部材は、バルブ保持筒と、内方に突出する係合突条を突設した側壁とを具備しており、
スリットバルブは、バルブ保持筒に嵌挿される筒壁と、中央部にスリットが切り込まれたオリフィス形成壁と、該オリフィス形成壁の周縁と前記筒壁上端との間に傾斜するよう連設された保持筒壁とからなるバルブヘッドとを具備していることを特徴とする請求項１記載の二液押出し容器。
【発明の詳細な説明】
【０００１】
【発明の属する技術分野】
本発明は、二液押出し容器に関する。
【０００２】
【発明が解決しようとする課題】
一つの内容液を収容した外側チューブと、他の内容液を収容した内側チューブとを備えた押出し容器であって、容器の胴部を押圧して、二液を吐出するようにした二液押出し容器は、従来より知られている。
従来の押出し容器では、押出し時の吐出初めに、内側チューブの内容液、または外側チューブの内容液だけが吐出されたり、混合割合が片寄って吐出されて、出方が安定しないという問題があった。
そのため、とくに内容液を少量吐出したい場合には、所要量の内容液を所定の混合割り合いで吐出することができなかった。
【０００３】
本発明は、押出し時の吐出初めに、両液が同時に所定の混合割合で吐出するよう、吐出初めの吐出を安定させることを技術的課題として、容器口部にスリットバルブを配設した二液押出し容器を提供することを目的とする。
【０００４】
【課題を解決するための手段】
本発明は、上記の技術的課題を達成するため、二液押出し容器として、外側チューブと内側チューブとを備えた二液押出し容器であって、外側チューブの口部に、内側チューブの吐出口と、内側チューブの注出筒外周と外側チューブの開口によって形成される液流路を覆うとともに、中央部にスリットにより区分されるフラップを形成し、容器内の内圧変化に基づくフラップの開閉によりオリフィスが形成されるスリットバルブを、取付部材を介して取着したことを特徴とする構成を採用する。
【０００５】
具体的な実施形態として、外側チューブは、開口を有する頂壁と、上端周縁に係合環を突設した側筒壁とからなる口部を具備しており、内側チューブは、頂壁に吐出口を設けた注出筒と嵌挿筒を備え、注出筒と嵌挿筒のそれぞれの外周に前記外側チューブの口部との間に液流路を形成するリブを設けた口部を具備しており、取付部材は、バルブ保持筒と、内方に突出する係合突条を突設した側壁とを具備しており、スリットバルブは、バルブ保持筒に嵌挿される筒壁と、中央部にスリットが切り込まれたオリフィス形成壁と、該オリフィス形成壁の周縁と前記筒壁上端との間に傾斜するよう連設された保持筒壁とからなるバルブヘッドとを具備していることを特徴とする構成を採用する。
【０００６】
【発明の実施の形態】
次に、本発明の実施形態について、図面を参照して説明する。
図１において、Ａは内容液を収容した容器であって、外側チューブＡ１と内側チューブＡ２とからなっている。
チューブＡ１，Ａ２は、柔軟な合成樹脂によって成型されており、化粧料、食品、薬液などの内容液が、液体あるいは粘状物の形態で収容されており、図に示すよう、内側チューブＡ２内にはＡ液が収容され、外側チューブＡ１と内側チューブＡ２との間にＢ液が収容されている。
Ｂは、シリコンゴム、エラストマー、軟質の合成樹脂によって成型されたスリットバルブで、合成樹脂で成型された取付部材Ｃを介して外側チューブＡ１の口部に取着されている。
Ｄは、合成樹脂で成型されたキャップである。
【０００７】
図１〜３に示すように、外側チューブＡ１は、口部１と肩部２、円形または楕円形の筒体から形成された胴部３と、該胴部３の筒体端部をシールして形成された底シール部４とからなっている。
口部１は、開口５を有する頂壁６と側筒壁７とからなり、側筒壁７の上端周縁には、所定個所に溝８を設けた係合環９が突設されている。
側筒壁７の下部は拡径されて、螺着筒１０となっており、その外周には、ネジ１１が刻設されている。
肩部２には、係止片１２が設けられ、キャップＤを所定の位置に位置決めするようにしている。
【０００８】
内側チューブＡ２は、口部２０と肩部２１、外側チューブＡ１と同形の筒体から形成された胴部２２とからなり、該胴部２２の筒体端部は外側チューブＡ１の胴部３の筒体端部とともに同時にシールして形成された底シール部２３となっている。
上記底シール部２３については、図２に示すように外側チューブＡ１の胴部３の筒体端部とは別個にシールして底シール部２３ａを形成するようにしても良い。
【０００９】
口部２０は、頂壁に吐出口２４を設けた注出筒２５と、それより拡径された嵌挿筒２６とからなり、注出筒２５の外周には、上端に外方に突出した係止部２７を形成した複数のリブ２８が一定の間隔をおいて配設されており、注出筒２５と外側チューブＡ１の開口５との間で、リブ２８によって区切られた液流路Ｘ１が形成されている。
【００１０】
前記嵌挿筒２６の外周には、嵌挿筒２６上端から肩部２１に延び、外側チューブＡ１の口部１内周に係合する複数のリブ２９が一定の間隔をおいて配設されており、嵌挿筒２６と外側チューブＡ１の口部１内周との間に、リブ２９によって区切られた液流路Ｘ２が形成されている。
【００１１】
図４に示すように、スリットバルブＢは、バルブ基台３０とバルブヘッド３１とからなっている。
バルブ基台３０は、環状の基板３２と、該基板３２の内周縁から立ち上がるよう立設された筒壁３３とを有しており、基板３２の外周部には保持リング３４が突設されている。
【００１２】
バルブヘッド３１は、オリフィス形成壁３５と、該オリフィス形成壁３５の周縁３６と前記筒壁３３上端との間に傾斜するよう連設された保持筒壁３７とからなっている。
オリフィス形成壁３５は、中央が凹んだ球面状の外側表面を有しており、中央部には、十字形のスリット３８が切り込まれ、スリット３８によって区分された四つのフラップ３９が形成されている。
オリフィス形成壁３５は、前記フラップ３９と、該フラップ３９を囲む周辺部４０とを有し、フラップ３９の開閉によってオリフィスが形成されるようになっている。
オリフィス形成壁３５の内側表面には、スリット３８端部を囲んで補強リブ４１が環状に形成されている。
【００１３】
取付部材Ｃは、上壁４２と側壁４３とを有しており、上壁４２の内周縁には、上下に延びるバルブ保持筒４４が連設されている。
側壁４３の内周は、バルブ保持部４５と、その下方に位置する拡径部４６とを有しており、該拡径部４６には、内方に突出する係合突条４７が突設されている。
係合突条４７には、スリットバルブＢが取着時に容器口部１に対して廻動しないように、複数の位置決め突起４８が配設されている。
【００１４】
図５に示すように、キャップＤは、頂壁５０と側壁５１を有しており、頂壁５０の中央には、凹部が形成され、被壁５２となっている。
被壁５２には、スリットバルブＢのオリフィス形成壁３５の曲率半径より大きな半径を有し、下方に突出した球面状の突出部５３を有するバルブ押え５４が突設されており、被壁５２の下面には、密封リング５５が垂設されている。
被壁５２の周縁部には、下方に延びる螺着筒５６が垂設されており、螺着筒５６の内周には、容器の外側チューブＡ１のネジ１１に螺合するネジ５７が刻設され、外周の所定個所には、下端が螺着筒５６下端から延びる位置決めリブ５８が突設されている。
【００１５】
次に、上記構成に基づく作用効果について説明する。
外側チューブＡ１と内側チューブＡ２との結合に際して、図３（ａ）に示すように、内側チューブＡ２のリブ２８が、外側チューブＡ１の開口５に嵌挿され、リブ２８の係止部２７によって、内側チューブＡ２が外側チューブＡ１内に落ち込むことが阻止され、同時にリブ２９が外側チューブＡ１の口部１内周に係合し、相互の位置関係が規制され、周方向で流出量が一定になるようにしている。
【００１６】
スリットバルブＢの取付に際して、まず、スリットバルブＢは、その筒壁３３が取付部材Ｃのバルブ保持筒４４内に嵌挿され、その基板３２と保持リング３４は、バルブ保持筒４４の下部と側壁４３のバルブ保持部４５との間に保持されるよう装着される。
【００１７】
次いで、スリットバルブＢを装着した取付部材Ｃが、外側チューブＡ１の口部１に取着される。
取着にあたって、取付部材Ｃの係合突条４７が、容器口部１に設けられた係合環９に係合し、上下に位置合わせされて嵌着され、スリットバルブＢは、外側チューブＡ１の口部１の頂壁６に締着されることになる。
【００１８】
その際、取付部材Ｃに設けた位置決め突起４８の下端部が、容器口部１の溝８に係合して周方向に位置決めされて嵌挿されるようになっているので、取付時に、取付部材Ｃが廻動することなく、スリットバルブＢは周方向の歪みが発生しないので取付不良を防ぐことができる。
また、使用中に取付部材Ｃをねじるような力を加えても、位置決め突起４８の上部が、口部１の溝８に嵌挿されているので取付部材Ｃが廻動することはなく、スリットバルブＢは、取付後の使用中に周方向に歪んで変形することはない。
【００１９】
次に、本発明の押出し容器の使用態様と、作用効果について図６を参照して説明する。
使用にあたって、まず、キャップＤを取り外して容器胴部３を押圧すると、図
６（ａ）に示すように、内側チューブＡ２の内容液Ａは、吐出口２４から出て直接オリフィス形成壁３５を外側へ押し上げるように作用し、外側チューブＡ１の内容液Ｂは、液流路Ｘ２，Ｘ１を通じて、スリットバルブＢ内に入ってバルブヘッド３１を膨張させるよう作用する。
図６（ｂ）に示すよう、スリットバルブＢ内に押し出された二液は、バルブヘッド３１内で部分的に混合され、次いでさらに押圧力が加えられ、各容器口部内、バルブヘッド３１内が一定の内圧に達すると、スリット３８が開いて、フラップ３９が開放されることによってオリフィスが形成され、二液が同時に或程度混合されて吐出される。
【００２０】
容器胴部３の押圧を解くと、胴部３が復元してバルブヘッド３１内が負圧となるので、オリフィスから大気が導入され、次いでオリフィスが閉じられ、バルブヘッド３１は胴部押圧前の元の状態に復元する。
【００２１】
使用後にキャップＤを被嵌すると、キャップＤのバルブ押え５４の突出部５３がスリットバルブＢのオリフィス形成壁３５に係合し、その妄動を阻止する。
したがって、キャツプＤを被嵌した状態で、容器胴部３を押圧しても、液がスリット３８から出て周囲を汚すことはない。
【００２２】
【発明の効果】
本発明は、上記のように構成されているから、次の効果を奏する。
外側チューブの口部にスリットバルブを装着したから、容器胴部を押圧したときに、まず、バルブヘッドが膨張し、一定の内圧に達したときに内容液が吐出されるから、吐出初めから二液が同時に吐出されるようになった。
【図面の簡単な説明】
【図１】本発明の押出し容器の一部断面正面図である。
【図２】押出し容器の別実施例の底部を示す一部断面正面図である。
【図３】容器要部の説明図で、（ａ）は平面図、（ｂ）断面正面図である。
【図４】スリットバルブと取付部材の説明図で、（ａ）は平面図、（ｂ）断面正面図、（ｃ）は底面図である。
【図５】キャップの説明図で、（ａ）は断面平面図、（ｂ）底面図である。
【図６】  押出し容器の作用を説明する図で、（ａ）は容器胴部押圧前、（ｂ）押圧開始時の吐出初めの説明図である。
【符号の説明】
Ａ            容器
Ａ１          外側チューブ
Ａ２          内側チューブ
Ｂ            スリットバルブ
Ｃ            取付部材
Ｄ            キャップ
１、２０      口部
５            開口
６            頂壁
７            側筒壁
８            溝
９            係合環
１０            螺着筒
２４            吐出口
２５            注出筒
２６            嵌挿筒
２８、２９      リブ
３０            バルブ基台
３１            バルブヘッド
３２            基板
３３            筒壁
３５            オリフィス形成壁
３７            保持筒壁
３８            スリット
３９            フラップ
４２            上壁
４３            側壁
４４            バルブ保持筒
４５            バルブ保持部
４８            位置決め突起
５２            被壁
５３            突出部
５４            バルブ押え
５５            密封リング
【図１】
0003805516.tif 000002
【図２】
0003805516.tif 000003
【図３】
0003805516.tif 000004
【図４】
0003805516.tif 000005
【図５】
0003805516.tif 000006
【図６】
0003805516.tif 000007